(57)【特許請求の範囲】
【請求項１】
複数台列設されたパチンコ遊技機及び遊技媒体貸出機と、パチンコ玉を磨きながら揚送する上部タンクを備えた玉揚送装置と、多量のパチンコ玉を貯留する玉貯留タンクとを備え、該玉貯留タンクから排出したパチンコ玉を上記玉揚送装置により上部タンク内に揚送し、該上部タンクからパチンコ遊技機及び遊技媒体貸出機に供給して循環還流するように成した遊技島を複数列配設すると共に、左右方向に配設した遊技島の上部タンク同士にバランス樋を架け渡してパチンコ玉を相互に供給し合って遊技島内の玉貯留量を均等化させる遊技島相互における玉供給装置であって、
上記バランス樋は、上部タンク間に水平に架け渡しされた１本のガイド樋と、該ガイド樋内に備えられてパチンコ玉を転動搬送する搬送路とから構成され、
上記上部タンクは、上記玉揚送装置により揚送されたパチンコ玉を貯留する貯留部と、バランス樋内の搬送路の搬送姿勢を傾斜させて可変させる駆動手段と、貯留部と搬送路との間に加速手段とを備え、何れかの上部タンクに供給する際、該駆動手段の作動に伴ってバランス樋内の搬送路を傾斜姿勢に可変させ、上部タンクに貯留されたパチンコ玉が加速手段により加速がつけられて搬送路に流入することを特徴とする遊技島相互における玉供給装置。
【請求項２】
複数台列設されたパチンコ遊技機及び遊技媒体貸出機と、パチンコ玉を磨きながら揚送する上部タンクを備えた玉揚送装置と、多量のパチンコ玉を貯留する玉貯留タンクとを備え、該玉貯留タンクから排出したパチンコ玉を上記玉揚送装置により上部タンク内に揚送し、該上部タンクからパチンコ遊技機及び遊技媒体貸出機に供給して循環還流するように成した遊技島を複数列配設すると共に、通路を挟んで前後方向に配設した遊技島の端部同士若しくは上部タンク同士にバランス樋を架け渡してパチンコ玉を相互に供給し合って遊技島内の玉貯留量を均等化させる遊技島相互における玉供給装置であって、
上記バランス樋は、上部タンク間に水平に架け渡しされた１本のガイド樋と、該ガイド樋内に備えられてパチンコ玉を転動搬送する搬送路とから構成され、
上記上部タンクは、上記玉揚送装置により揚送されたパチンコ玉を貯留する貯留部と、バランス樋内の搬送路の搬送姿勢を傾斜させて可変させる駆動手段と、貯留部と搬送路との間に加速手段とを備え、何れかの遊技島の端部若しくは上部タンクに供給する際、該駆動手段の作動に伴ってバランス樋内の搬送路を傾斜姿勢に可変させ、上部タンクに貯留されたパチンコ玉は加速手段により加速がつけられて搬送路に流入することを特徴とする遊技島相互における玉供給装置。
【発明の詳細な説明】
【０００１】
【発明の属する技術分野】
本発明は、例えば複数台列設されたパチンコ遊技機及び遊技媒体貸出機と上部タンクを設けた玉揚送装置とを備えて一群と成し、島内部に多量のパチンコ玉を貯留する玉貯留タンクを備えて循環還流させるように成した遊技島に関り、更に詳しくは複数列配設した遊技島の上部間（左右方向若しくは通路を挟んで前後方向）にバランス樋を架け渡し、必要に応じて相互に供給する際、上部タンクに貯留したパチンコ玉に加速をつけてバランス樋に送り出す加速手段により、各遊技島内の玉貯留量を均等化（玉保有量の均等化）するようにした、遊技島相互における玉供給装置に関するものである。
【０００２】
【従来の技術】
通常、パチンコ遊技店においては例えば、複数台１５台乃至２０台程度のパチンコ遊技機を片面または両面に直線状に列設させ左右方向（横方向）に配設した複数列の遊技島と、この複数列の遊技島に対向する位置に中通路（少し幅広の通路）を挟んで前後方向に同じように左右方向に配設した複数列の遊技島と、から構築されている。
遊技島において、片面の所謂壁島の場合、略１５万発程度の、また両面の所謂両面島の場合は、略３０万発程度のパチンコ玉が使用（保有）されるように成っており、各パチンコ遊技機及び各遊技媒体貸出機に対して上部の供給樋からパチンコ玉が補給される。また、遊技島には上部タンクを備えた玉揚送装置と、島内に多量のパチンコ玉を貯留させる玉貯留タンクとが備えられ、該玉貯留タンク内に貯留した玉を循環還流（システム）させるように成している。
【０００３】
上記遊技島において、島内に貯留した玉を循環還流させるシステムは、例えば遊技島内の下部に多量のパチンコ玉を貯留させる長さを有した玉貯留タンクと、この玉貯留タンクの端部の玉排出部に設けられた小型な循環リフトと、この循環リフト若しくは各パチンコ遊技機から回収樋に排出されたパチンコ玉を上方に磨きながら揚送する玉揚送装置と、この玉揚送装置の上部には揚送されたパチンコ玉を一時貯留（貯留部）させておく上部タンクと、この上部タンクから各パチンコ遊技機や各遊技媒体貸出機に対してパチンコ玉を補給する傾斜状の供給樋と、上部タンクから溢れたパチンコ玉を玉貯留タンクに戻すためのオーバーフロー樋と、から大略構成され、島内のパチンコ玉が循環還流するようにし、営業に支障ないようにしている。
【０００４】
さらに、循環還流させるシステムを備えた遊技島は、例えば、島端に玉計数機を設けた計数機有り島（親島とも言う）とし、その左右方向（両側）に隣接して配設された計数機無し島（子島とも言う）とし、さらに玉揚送装置の上部タンクに設けた水平な少なくとも１本のバランス樋が上部タンク同士に架け渡して島内の玉貯留量の増減の検出により必要に応じて相互に供給し合っている。
また、郊外に設置されたパチンコ遊技店においては、店舗規模（遊技島を構築する設置台数が多い等）が大きくなってきている。このような店舗規模の大きい遊技店に循環還流させるシステムを導入する際は、左右方向に隣接して配設された遊技島は上記した玉揚送装置の上部タンクに設けた水平のバランス樋を上部タンク同士に架け渡して相互に供給し合うことは無論のこと、通路（中通路）を挟んで前後方向に配置された遊技島においても、遊技島同士間にバランス樋を架け渡し、前後方向の何れかの遊技島の玉貯留量が不足状態にならないように、それぞれの上部間に架け渡したバランス樋によりパチンコ玉を相互に供給し合い、均等化する必要がある。
【０００５】
上記したように玉揚送装置の上部に設けられ上部タンク同士間に架け渡して各遊技島に貯留しているパチンコ玉を相互に供給し、均等化するバランス樋は、傾斜した２本の搬送路を上部タンク同士にＸ字状に交差して架け渡したクロスバランス方式の構成から成るものや、水平な少なくとも１本の搬送路を上部タンク同士に架け渡し、正・逆転駆動モータによる１本正逆駆動ベルト方式の構成から成るものが提供されている。
【０００６】
【発明が解決しようとする課題】
しかしながら、上記した傾斜状の２本のバランス樋の搬送路をＸ字状に交差して架け渡したクロスバランス方式を各遊技島に備えてパチンコ玉を相互に供給し合う場合、傾斜した２本の搬送路が遊技島の中央又は端部の上方にＸ字状に交差して架け渡されていることから、幅広となり、美観上好ましくない。
【０００７】
また、２本の搬送路をＸ字状に交差して架け渡し、必要に応じてシャッター機構（図示せず）が開閉動作して搬送路中のパチンコ玉を傾斜状の搬送路を供給側へと転動させて供給するため、搬送路中で玉溜まりが生じてしまい、さらにバランス樋が落下する等の危険性があるため、落下防止対策として構造上、配慮（強度）する必要となりその結果、コストアップとなっていた。
【０００８】
一方、上記した正・逆転駆動モータによる１本のバランス樋の搬送手段を架け渡した１本の正逆ベルト方式を各遊技島に備えてパチンコ玉を相互に供給し合う場合、上記したクロスバランス方式に比べ美観上はよくなる反面、駆動源として駆動モータを使用し、特に正・逆転の切替え駆動制御する高価な駆動モータを使用することから、コストアップとなり、長年使用していると故障も生じる。
また、上記搬送手段は、プーリ間にベルトを架け渡して構成されることから、設置、または定期点検する際、ベルトの架け渡しに当たって張り具合を調整する必要もあり、さらにトラブル（ベルト切れによる交換作業等）を招く恐れがあり、トラブルが発生すると営業出来なくなってしまう。
【０００９】
さらに、例えば左右方向に隣接する遊技島の島間の通路幅は、パチンコ遊技店によって異なり、その都度、現場にてその長さを切断する作業をしなくてはならず、施工に時間が掛かかる等の種々問題があった。
【００１０】
本発明は、以上の点に鑑み、遊技島の上部間（左右方向若しくは通路を挟んで前後方向）にバランス樋を架け渡し、各遊技島の玉貯留量を必要に応じて相互に供給し合う際、バランス樋に送り出す加速手段を備えた玉供給装置により、各遊技島の玉貯留量を均等化することが出来る遊技島相互における玉供給装置を提供することを目的としている。
【００１１】
【課題を解決するための手段】
上記目的は、複数台列設されたパチンコ遊技機及び遊技媒体貸出機と、パチンコ玉を磨きながら揚送する上部タンクを備えた玉揚送装置と、多量のパチンコ玉を貯留する玉貯留タンクとを備え、該玉貯留タンクから排出したパチンコ玉を上記玉揚送装置により上部タンク内に揚送し、該上部タンクからパチンコ遊技機及び遊技媒体貸出機に供給して循環還流するように成した遊技島を複数列配設すると共に、通路を挟んで前後方向に配設した遊技島の端部同士若しくは上部タンク同士にバランス樋を架け渡してパチンコ玉を相互に供給し合って遊技島内の玉貯留量を均等化させる遊技島相互における玉供給装置であって、上記バランス樋は、上部タンク間に水平に架け渡しされた１本のガイド樋と、該ガイド樋内に備えられてパチンコ玉を転動搬送する搬送路とから構成され、上記上部タンクは、上記玉揚送装置により揚送されたパチンコ玉を貯留する貯留部と、バランス樋内の搬送路の搬送姿勢を傾斜させて可変させる駆動手段と、貯留部と搬送路との間に加速手段とを備え、何れかの上部タンクに供給する際、該駆動手段の作動に伴ってバランス樋内の搬送路を傾斜姿勢に可変させ、上部タンクに貯留されたパチンコ玉が加速手段により加速がつけられて搬送路に流入させることにより、達成される。
【００１２】
また、上記目的は、上記目的は、複数台列設されたパチンコ遊技機及び遊技媒体貸出機と、パチンコ玉を磨きながら揚送する上部タンクを備えた玉揚送装置と、多量のパチンコ玉を貯留する玉貯留タンクとを備え、該玉貯留タンクから排出したパチンコ玉を上記玉揚送装置により上部タンク内に揚送し、該上部タンクからパチンコ遊技機及び遊技媒体貸出機に供給して循環還流するように成した遊技島を複数列配設すると共に、左右方向に配設した遊技島の上部タンク同士にバランス樋を架け渡してパチンコ玉を相互に供給し合って遊技島内の玉貯留量を均等化させる遊技島相互における玉供給装置であって、上記バランス樋は、上部タンク間に水平に架け渡しされた１本のガイド樋と、該ガイド樋内に備えられてパチンコ玉を転動搬送する搬送路とから構成され、上記上部タンクは、上記玉揚送装置により揚送されたパチンコ玉を貯留する貯留部と、バランス樋内の搬送路の搬送姿勢を傾斜させて可変させる駆動手段と、貯留部と搬送路との間に加速手段とを備え、何れかの遊技島の端部若しくは上部タンクに供給する際、該駆動手段の作動に伴ってバランス樋内の搬送路を傾斜姿勢に可変させ、上部タンクに貯留されたパチンコ玉は加速手段により加速がつけられて搬送路に流入させることにより、達成される。
【００１３】
上記した構成によれば、左右方向に配設した遊技島の上部タンクに、水平な少なくとも１本のバランス樋を架け渡してパチンコ玉を相互に供給し合い、玉貯留量を均等化するようにしたことにより、２本のクロスバランス方式に比べ何ら美観を損ねることはない。
また、通路（中通路）を挟んで前後方向に配設した遊技島の端部若しくは上部タンクに水平な少なくとも１本のバランス樋を架け渡してパチンコ玉を相互に供給し合い、玉貯留量を均等化するようにしたことにより、通路（中通路）を挟んで前後方向に配設した遊技島であっても何ら美観を損ねることはない。
【００１４】
また、遊技島の上部間（左右方向若しくは通路を挟んで前後方向）に水平な少なくとも１本のバランス樋を架け渡し、上記玉揚送装置により揚送したパチンコ玉を上部タンク内に貯留し、架け渡されたバランス樋内は供給側の必要に応じて送られるパチンコ玉は加速手段によって、加速がつけられ、上記バランス樋に送り出す構成としたことにより、加速されたパチンコ玉が勢い良く上部間に配設された隣接した遊技島の上部タンクへと、素早く転動することとなる。
従って、転動しきれずにバランス樋に玉溜まりが生じることなく、バランス樋が落下する等の危険性もなくなり、その結果、落下防止対策を施す必要がなく、安価となる。
【００１５】
また、遊技島の上部間（左右方向若しくは通路を挟んで前後方向）に水平な少なくとも１本のバランス樋を架け渡し、上部タンク内に貯留したパチンコ玉を無駆動式の加速手段によりパチンコ玉を加速してバランス樋に送り出す構成としたことにより、正・逆転の切替え駆動制御する高価な駆動モータを使用する１本正逆ベルト方式と比べ、駆動源となるモータが必要なくなることからコストダウンを図ることが出来、搬送手段の１本正逆ベルトの張り具合の調整や、ベルト切れによる交換作業等、複雑な構造上である故の諸問題を解決することが出来る。
【００１６】
さらに、現場において隣接する遊技島間の異なる通路幅にバランス樋を架け渡す場合に、バランス樋の両端または何れか一方の端部を切断する作業もなくなるため、現場での施工時間が短時間で行える。
【００１７】
【発明の実施の形態】
以下、図面に示した実施形態に基づいて、本発明を詳細に説明する。
図１は、本発明のパチンコ遊技島相互における玉供給装置の一実施形態を示しており、遊技島の内、一方側（略半分）のみを図示した概略側面図である。
図１に示すように、遊技島１は複数台のパチンコ遊技機２及び遊技媒体貸出機２ａ（台間玉貸出機）列設されており、後述する循環還流システム９の各構成が備えられている。そのうち玉貯留タンク３の任意の位置には後述する玉量検出装置１０が組み込まれている。
【００１８】
例えば、パチンコ遊技店においては、複数台１５台乃至２０台程度のパチンコ遊技機２を片面または両面に直線状に列設させ左右方向に配設した複数列の遊技島１と、この複数列の遊技島１に対向する位置に通路（中通路）を挟んで前後方向に同じように左右方向に配設した複数列の遊技島１と、から構築されている。
左右方向に配設した遊技島とは、片面または両面に横方向に配設され、パチンコ遊技機毎に椅子が設置され、僅かな通路が形成された遊技島のことである。
また、中通路とは、少し幅広の通路に形成され、各遊技島１の島端には遊技設備（玉計数機や両替機やカード発券機等）が設置されている通路を言う。
前後方向に配設した遊技島とは、上述した中通路を挟んで対向した位置に左右方向に配設した遊技島のことを言う。
上記したパチンコ遊技店に複数列設された遊技島１は、一般的に片面の所謂壁島の場合は、略１５万発程度の、また両面の所謂両面島の場合は、略３０万発程度のパチンコ玉が島内の玉貯留タンク３内等に貯留（保有）されている。
【００１９】
先ず、循環還流システム９が導入された遊技島１が左右方向に配設された場合について説明する。
循環還流システム９は、例えば島端１ｂに玉計数機１ａを設けた遊技島１を計数機有り島とし、その左右方向（両側）に隣接して配設された遊技島１を計数機無し島とし、さらに玉揚送装置６の上部タンク２０に設けた水平な少なくとも１本のバランス樋４０を上部タンク２０同士に架け渡して各遊技島内の玉貯留量の増減の検出により、必要に応じて相互に供給し合っている。
また、後述するが、上記循環還流システム９が導入され左右方向に配設された遊技島１の何れかの遊技島と、通路（中通路）を挟んで前後方向に配設された遊技島１とを水平な少なくとも１本のバランス樋４０を遊技島（自島又は他島）の端部若しくは上部タンク２０同士に架け渡して前後方向の各遊技島内の玉貯留量の増減の検出により、必要に応じて相互に供給し合っている。
【００２０】
このように、複数列設された各遊技島１の島内の玉貯留タンク３内の玉貯留量の増減は後述する玉量検出装置１０にて検出して、何れかの遊技島１の玉貯留量が所要量より少ない又は多いと検出した時、その両側の遊技島１の玉貯留量が所要量より多く又は少なくあり、供給又は受給可能であるか判断し、供給又は受給可能と判断した遊技島１からバランス樋４０を介してパチンコ玉を供給又は受給し、不足した玉量を補うと共に、過剰した玉量を排出することで、各遊技島内の玉貯留量を均等化することが出来るように構成されている。
【００２１】
次に、循環還流システム９の各構成（計数機有り島の場合）について説明する。
循環還流システム９が導入された遊技島１の島端１ｂには玉計数機１ａが設けられ、内部下方には、島端寄りの位置に例えば左右二つ（図１では右側のみ図示し、以下遊技島１の右側のみを説明する。）の玉貯留タンク３と、玉貯留タンク３の端部の玉排出部３ｂに接続された小型の循環リフト４と、この循環リフト４から持ち上げられたパチンコ玉を玉揚送装置６に導く回収樋５とが備えられ、回収樋５から転動してくるパチンコ玉を上方に磨きながら揚送する玉揚送装置６（例えば、布式による研磨媒体の玉揚送装置）が略中央付近に備えられ、上方には該玉揚送装置６により揚送され研磨されたパチンコ玉を一時貯留させておく上部タンク２０が設けられ、この上部タンク２０から各パチンコ遊技機２や各遊技媒体貸出機２ａ（以下、台間玉貸機という）に対してパチンコ玉を補給する傾斜状の供給樋７と、上部タンク２０から溢れたパチンコ玉を玉貯留タンク３に戻すためのオーバーフロー樋８と、から大略構成され、島内のパチンコ玉が循環還流するように成っていて、各遊技島１の玉貯留量は図示しない島管理装置（島コントローラ等）やホールカウンタ内のシステム管理装置（パソコン等）にて監視制御される。
尚、図示しないが、左右方向（両側）に隣接して配設された計数機無し島の遊技島１においても上記した構成は備えているが、島端には玉計数機１ａは備えていない。
【００２２】
遊技島１内に備えた玉貯留タンク３は、略長方形状から成し、内部の床面は玉排出部３ｂに向かってなだらかに下方に傾斜しており、玉貯留タンク３内のパチンコ玉はその傾斜に従って玉排出部３ｂに向かって転がるように形成されている。
上記玉貯留タンク３は、遊技島１に列設されるパチンコ遊技機２の台数によって設置個数（少なくとも一個以上）、多量のパチンコ玉を貯留する長さが異なるものを備えるようになっていて、ここでは、下流側に一つのメインタンク３ｃ（長めの略長方形状と成し、約１０万個収容可能）と、このメインタンク３ｃに順次に接続されるサブタンク３ｄ（メインタンクより少し短めの略長方形状と成し、約５万個収容可能）との二個の玉貯留タンク３が一方側（右側）に備えられている（ここでは、他方側は省略）。また、図示しないが、各パチンコ遊技機２から排出されるパチンコ玉（アウト玉）は、玉貯留タンク３の両端の回収樋５によって回収され、玉揚送装置６に送られるようになっている。
また、後述するが、玉貯留タンク３の任意の位置（例えば、直前の位置と直後の位置に）玉の個数をカウントする玉量検出装置１０（各センサ）が設けられている。
【００２３】
図１に示すように、玉量検出装置１０は、玉貯留タンク３に供給されるパチンコ玉即ちイン玉の個数を計数カウントするための第一の検出センサ１０ａと、玉貯留タンク３から排出されるパチンコ玉即ちアウト玉の個数を計数カウントするための第二の検出センサ１０ｂとが任意に位置に設けられると共に演算処理する演算部と、から構成されている。
【００２４】
第一の検出センサ１０ａは、例えば玉貯留タンク３に供給する直前の位置である玉供給部３ａに設けられており、玉供給部３ａを介して玉貯留タンク３内に供給されるパチンコ玉の個数を計数カウントするように成っている。
そして、上記第一の検出センサ１０ａは、そのカウント値を演算部に出力している。
【００２５】
第二の検出センサ１０ｂは、例えば玉貯留タンク３から排出された直後の位置である玉排出部３ｂに設けられており、玉排出部３ｂを介して玉貯留タンク３から排出されるパチンコ玉の個数を計数カウントするように成っている。
そして、上記第二の検出センサ１０ｂは、そのカウント値を演算部に出力している。
【００２６】
上記演算部は、上記した第一の検出センサ１０ａ及び第二の検出センサ１０ｂからのカウント値が入力されることにより、第一の検出センサ１０ａのカウント値即ち、イン玉から第二の検出センサ１０ｂのカウント値即ち、アウト玉を演算処理（減算処理）して、遊技島毎に設けた島管理装置（島コントローラ等）やホールカウンタ内のシステム管理装置（パソコン等）に出力（データ送信）するように成っている。
【００２７】
上記第一の検出センサ１０ａと第二の検出センサ１０ｂは、玉貯留タンク３の玉供給部３ａと玉排出部３ｂに設けられ、例えば７〜８列のスノコの側壁またはスノコ上部に、透過型若しくは反射型センサを設けることにより、正確に各パチンコ玉の通過を検知・カウントして、上記演算部へと出力することが出来るように成っている。尚、この玉量検出装置１０の構成による検出に限らず、玉貯留タンク３の側壁に複数個配置したタッチセンサ等による検出であっても良い。
【００２８】
上記した演算部は、第一の検出センサ１０ａ及び第二の検出センサ１０ｂからのカウント値が入力されることにより、第一の検出センサ１０ａのカウント値、即ちイン玉から第二の検出センサ１０ｂのカウント値、即ちアウト玉を演算処理して、遊技島毎に設けた島管理装置やホールカウンタ内のシステム管理装置に出力する。
この時、例えば遊技島１（計数機有り島）の島内の玉貯留量の増減を玉量検出装置１０にて検出して所要量より少ないと検出した時、左右方向（両側）の遊技島（計数機無し島）の玉貯留量が所要量より多くあり、供給可能であるか判断すると供給可能の信号を発信し、供給可能と判断した遊技島１から後述する加速手段にて加速され、送り出されたパチンコ玉はバランス樋４０を介して供給される。
【００２９】
これとは逆に遊技島１（計数機有り島）の島内の玉貯留量が所要量より多いと玉量検出装置１０にて検出した時、左右方向（両側）の遊技島（計数機無し島）の玉貯留量が所要量より少なく、受給可能であるか判断すると受給可能の信号を発信し、受給可能と判断した遊技島１から後述する加速手段にて加速され、送り出されたパチンコ玉はバランス樋４０を介して受給される。
このように、各遊技島１の島内の玉貯留タンク３内の玉貯留量の増減は玉量検出装置１０にて検出され、供給又は受給可能であるか判断し、供給又は受給可能と判断した遊技島１から加速手段にて加速し、送り出されたパチンコ玉はバランス樋４０を介して供給又は受給し、不足した玉量を補うと共に、過剰した玉量を排出することで、各遊技島内の玉貯留量を均等化に保つことが出来る。
【００３０】
上記においては、遊技島１に循環還流システム９が導入され、左右方向に配設された遊技島１における各遊技島１内の玉貯留量を均等化する構成について説明したが、ここでは通路（中通路）を挟んで前後方向に配設された遊技島１と、左右方向に配設された何れかの遊技島１とを加速手段にて加速し、送り出されたパチンコ玉をバランス樋４０にて供給し合う構成について説明する。
郊外に設置されたパチンコ遊技店においては、店舗規模が大きく、左右方向に配設された遊技島１における各遊技島内の玉貯留量を均等化する、一方、通路（中通路）を挟んで前後方向に配設された遊技島１においても遊技島同士間にバランス樋４０を架け渡す必要がある。例えば、左右方向に配設された遊技島１の遊技客が獲得したパチンコ玉を持って前後方向の遊技島に移動して遊技すると、遊技島内の玉貯留量が増減してしまう。または、左右方向に配設された何れの遊技島１の玉貯留量も激減（満杯）した場合は、前後方向の遊技島から供給又は受給しなくてはならない場合もある。
【００３１】
例えば、左右方向の何れかの遊技島１の島内の玉貯留量の増減を玉量検出装置１０にて検出して所要量より少ないと検出した時、前後方向の何れかの遊技島の玉貯留量が所要量より多くあり、供給可能であるか判断すると供給可能の信号を発信し、供給可能と判断した遊技島１から後述する加速手段にて加速され、送り出されたパチンコ玉は通路（中通路）を挟んで架け渡したバランス樋４０を介して供給される。
【００３２】
これとは逆に、左右方向の何れかの遊技島１の島内の玉貯留量が所要量より多いと玉量検出装置１０にて検出した時、前後方向の何れかの遊技島の玉貯留量が所要量より少なく、受給可能であるか判断すると受給可能の信号を発信し、受給可能と判断した遊技島１から後述する加速手段にて加速され、送り出されたパチンコ玉は通路（中通路）を挟んで架け渡したバランス樋４０を介して受給される。
このように、左右方向の何れかの遊技島と、通路（中通路）を挟んで前後方向に配設された遊技島１とを水平な少なくとも１本のバランス樋４０を遊技島（自島又は他島）の端部若しくは上部タンク２０同士に架け渡して前後方向の各島内の玉貯留量の増減の検出により、必要に応じて相互に供給し合う。
【００３３】
上記玉貯留タンク３には、上部タンク２０から溢れたパチンコ玉がオーバーフロー樋８を転動してきたパチンコ玉を貯留すると共に、遊技島１の島端１ｂに設けられ玉計数機１ａに遊技客が投入し、検出後の排出されたパチンコ玉も玉貯留タンク３内に送られて貯留される。
【００３４】
上部タンク２０は、玉揚送装置６の上部に設けられ、玉揚送装置６により磨かれたパチンコ玉を一時貯留させている。図示しないが、上部タンク２０内には検出部が設けられていて、この検出部で不足である検出すると玉貯留タンク３の端部に設けられた小型の循環リフト４がこの検出に応じて作動するように成っていて玉貯留タンク３の底面を転動して玉排出部３ｂから排出されたパチンコ玉を取り込んで、回収樋５にパチンコ玉を持ち上げて、玉揚送装置６に導いて揚送し、検出部で検出した時点で作動が停止するように成している。
このようにして上部タンク２０に一時貯留したパチンコ玉は、下方に傾斜する供給樋７を転動していき各パチンコ遊技機２や各台間玉貸機２ａに対して、パチンコ玉が支障なく補給される。
オーバーフロー樋８は、上部タンク２０内にてパチンコ玉が満杯になった時のパチンコ玉の溢れ玉を、玉貯留タンク３に戻すために設けられており、上記供給樋７と同様に遊技島１の島端１ｂに向かってなだらかに下方に傾斜している。
【００３５】
次に、本発明の要旨あるパチンコ遊技島相互における玉供給装置（加速手段）の構成について詳細に説明する。
図２乃至図１５に示すように、遊技島の上部間（左右方向若しくは通路を挟んで前後方向）の遊技島１、１の上部タンク２０、２０同士の間には架け渡された水平姿勢で少なくとも１本のバランス樋４０を介してパチンコ玉を相互に供給し合う玉供給装置（加速手段）が設けられている。尚、ここではバランス樋４０は少なくとも１本としたが、場合によっては水平の２本として相互に供給し合っても良い。
【００３６】
始めに、パチンコ玉の相互に供給し合う（供給又は受給）玉供給装置１００の構成について説明する。ここでは、遊技島の上部間のうち左右方向に配設された遊技島について説明する。
玉供給装置１００は、上部タンク２０内に設けられた供給手段３０により相互に供給し合うように成っており、この供給手段３０は、左右方向の遊技島１、１間に架け渡された水平姿勢の１本のバランス樋４０と、バランス樋４０内にパチンコ玉を送り出す加速手段５０と、加速手段５０へのパチンコ玉を供給又は供給停止すると共に、バランス樋４０を連動駆動する駆動手段６０と、から構成されている（図１０および図１１参照）。
【００３７】
加速手段５０は、後述するバランス樋４０内に、パチンコ玉に加速をつけて送り出すようになっている。また、駆動手段６０は、後述する加速手段５０に、パチンコ玉を供給するために上部タンク２０に設けた供給口２２を開閉するシャッター部材６１を上下動させる、と共にバランス樋４０の搬送路４１を傾斜させる作動部材６５とを備えている。
【００３８】
遊技島１の上部に設けられた上部タンク２０の構成について説明する。
上部タンク２０の内部は、図１乃至図５に示すように、玉揚送装置６により揚送されたパチンコ玉を貯留する貯留部（後述するメイン貯留部Ｔｍ及びサブ貯留部Ｔｓ）を備えると共に、受け渡す受渡し口２１を備え、遊技島１、１の上部タンク２０、２０間に後述するバランス樋４０を架け渡すように成っている。
【００３９】
上部タンク２０の外部（側壁）は、バランス樋４０を架け渡すための開口２３、２３を設け、この開口２３、２３部分にて後述する加速手段５０の下端の吐出し口５４とバランス樋４０の搬送路４１の先端が対向するように設けられ、開口２３、２３の下縁にバランス樋４０の先端を載置して取付ける保持部２４、２４とが設けられている。また、上部タンク２０は、各パチンコ遊技機２や各台間玉貸機２ａに対してパチンコ玉を供給する供給樋７の取り付け部２５が設けられ、またオーバーフロー樋８の先端が取付けられるように成っている。
【００４０】
図５は、上部タンク２０の内部を示し、一方の供給手段３０と図示しない隔壁板とが省略されており、図１０および図１１をも参照して、上部タンク２０の内部を詳細に説明する。上部タンク２０の内部には、左右方向に上記した供給手段３０を備えている。
【００４１】
上部タンク２０の供給手段３０側の内部に、仕切り壁２６が上下に亘って設けられ、供給手段３０の後方に、仕切り壁２６によって仕切られた貯留部のメイン貯留部Ｔｍが形成され、該メイン貯留部Ｔｍの上部に、上記玉揚送装置６により揚送されてきたパチンコ玉を受ける矩形状に開口した受渡し口２１から受け入れる上部ガイド板２７が先端に向かって僅かに傾斜して設けられている。
そして、パチンコ玉が上部ガイド板２７上を先端へと転動すると共に、上部ガイド板２７に形成した隙間２７ａから矢印のように、メイン貯留部Ｔｍ内にパチンコ玉が落下貯留され、上部ガイド板２７の先端は、供給手段３０の上部に設けたサブ貯留部Ｔｓに接続している。
また、上記上部ガイド板２７の先端で、サブ貯留部Ｔｓとの接続部分に隙間２７ｂが形成されと共に、上記駆動手段６０に設けたシャッター部材６１によって開閉される供給口２２が設けられている。
【００４２】
上記メイン貯留部Ｔｍ内にはパチンコ玉の貯留量を検出するスイッチが設けられている。上方位置に貯留量の上限を検知する上限スイッチＳｔと、下方位置に貯留量の下限を検知する下限スイッチＳｄとが設けられている。
また、メイン貯留部Ｔｍの下部に設けた下部空間部Ｔｄには、オーバーフロー樋８が接続されるようになっていると共に、メイン貯留部Ｔｍの上部と下部空間部Ｔｄとを接続するオーバーフローパイプＯｐが設けられ、メイン貯留部Ｔｍ内に、上限スイッチＳｔを越えてパチンコ玉が貯留された場合に、このオーバーフローパイプＯｐにより下部空間部Ｔｄにパチンコ玉が送られ、上記オーバーフロー樋８を介して玉貯留タンク３へと供給されるように構成している。尚、Ｔｃは、オーバーフローパイプＯｐの上端に設けた、補助取付け板である。
【００４３】
さらに、上部タンク２０の供給手段３０側には、後述するバランス樋４０を架け渡すための開口２３、２３が設けられ、この開口２３、２３の下方に、隙間２８ａを形成した中仕切板２８が傾斜して配置され、このガイド中仕切板２８の先端部分で、上記仕切り壁２６との接合部分に、メイン貯留部Ｔｍに通ずる矩形状の導通口２６ａが開口し形成されている。
また、上記中仕切板２８の下方に、隙間２９ａを形成した下部ガイド板２９が傾斜して配設され、中仕切板２８の隙間２８ａから供給されるパチンコ玉を上記下部空間部Ｐｄに送るように構成している。
尚、上記上部ガイド板２７、及び中仕切板２８、また下部ガイド板２９の各隙間２６ａ、２７ｂ、２８ａおよび２９ａや、導通口２６ａは、それぞれパチンコ玉が通過できる充分な大きさに形成されている。
【００４４】
次に、第一の実施形態のバランス樋４０の構成について、図２又は図３、図６乃至図１１に基づいて説明する。
バランス樋４０は、左右方向に配設された遊技島１、１の上部タンク２０、２０同士間に架け渡す長さから形成され、パチンコ玉が転動して搬送される断面コの字状の搬送路４１と、略同じ断面コの字状の化粧ガイド樋４２の板金材等から成る二重構造に構成されている（図９参照）。
上記搬送路４１には、搬送路４１の長手方向、略中心部分の下面にＬ字状の支点部材４３が取り付けられ、この支点部材４３を中心に搬送路４１が揺動（上下動）し、傾斜するように成っていると共に、搬送路４１が傾斜した際に化粧ガイド樋４２の上面からはみ出すことがない。
【００４５】
上記したＬ字状の支点部材４３は、搬送路４１の下面と化粧ガイド樋４２の上面との内部空間に取り付けられ、支点部材４３の両側端に突起４３ａ、４３ａを突設し、化粧ガイド樋４２の中心部分に設けた位置決め穴４２ａ、４２ａに突起４３ａ、４３ａが係合して、支点部材４３が位置ズレしないように取り付けている。尚、図中４４は、補強用枠体であり、長い搬送路４１（通路）の時、短い搬送路４１同志（通路）を連結させる際の補強材にもなる。図中４５は、バランス樋４０の中央付近に設けられ、店員がパチンコ玉の通過状況を視認にて確認することが出来る長穴形状から成る覗き窓である（図２参照）。
【００４６】
尚、搬送路４１の底面には、後述する加速手段から送り出されたパチンコ玉を隣接する上部タンク２０へ供給し易くするために転動していくパチンコ玉が滑り易いように平滑面に形成され、さらに滑り易くするために平滑剤等（例えば、コーティング材等）を塗布し、又は凹凸面や凹凸面に形成した部材を貼り付けるなどの工夫を施すことにより、パチンコ玉が転動していく際の助勢作用に成る。
また、搬送路４１の上面には着脱自在の蓋部材が装着され、搬送路４１内の底面に埃等が付着しないようにしている。この蓋部材を開放して定期的に搬送路４１の底面に付着した埃等を除去する。
【００４７】
次に、加速手段５０の構成について、図１０乃至図１３に基づいて説明する。加速手段５０は、上部タンク２０の内部側壁の両側に取り付けられ、図で示すように略Ｊ字ロート状の中空の滑り台部材５１（スベリ台方式）から構成されている。
加速手段５０は、上部にパチンコ玉を受け入れる受入れ口５２を備え、胴部５３が下方に延びて、下端に湾曲した吐出し口５４を形成し、この吐出し口５４が上記バランス樋４０の搬送路４１の先端に対向するように配設され、後述する駆動手段６０のシャッター部材６１により上部タンク２０の供給口２２を開閉、即ち加速手段５０の受入れ口５２へパチンコ玉を供給または供給停止出来るように構成されている。
【００４８】
そして、供給されたパチンコ玉は加速手段５０の受入れ口５２から滑り台部材５１の胴部５３を経て、自重落下によって加速され、湾曲した吐出し口５４の湾曲面に沿って、滑らかに、勢い良く、バランス樋４０の搬送路４１へと送り出され、傾斜したバランス樋４０の搬送路４１上を、勢いを失うことなく転動していき、バランス樋４０が架け渡された隣接する遊技島１の上部タンク２０へと転動していくように構成されている。
尚、上記において、上記加速手段５０の滑り部材５１は、中空のＪ字ロート状に形成した説明としたが、程良く折り曲げる等の他の形状のものでも良く、上記バランス樋４０の搬送路４１に、パチンコ球に加速をつけて勢い良く送り出せる形状や装置であればどんなものであっても良い。
【００４９】
次に、駆動手段６０の構成について、図１０又は図１１及び、図１４又は図１５に基づいて説明する。
駆動手段６０は、上記した加速手段５０に隣接して取り付けられ、図に示すように、略コ字状に板金を折り曲げて形成された取付け部材６２を上部タンク２０内にネジ止め固定する共に、内部に設けた仕切り板６３の前面に上記加速手段５０の滑り台部材５１を取り付け、仕切り板６３の背面側に揺動部材６４を上下動自在に設け、この揺動部材６４の上部にシャッター部材６１を取り付け、下部に作動部材６５が揺動自在に取り付けられた構成から成している。
【００５０】
揺動部材６４は、背面上部に第２のリンク部材６６の上端がネジ止め６６ａにより揺動自在に取り付けられ、下端は取付け部材６２の背面に取り付けたモータ６７の回転軸６７ａに軸支した第１のリンク部材６８の偏位を回動自在にネジ止め６６ｂし、モータ６７の駆動による第１のリンク部材６８の回転と共に、第２のリンク部材６６を上下に揺動、即ちシャッター部材６１を上下動させるように成っている。
【００５１】
作動部材６５は、コ字状に板金を折り曲げ形成され、上記取付け部材６２両側壁の下端前部にて、作動部材６５の略中間側壁を揺動自在にネジ止め６５ａし、作動部材６５の後端部を上記揺動部材６４の下端側壁に揺動自在にネジ止め６５ｂして構成し、上記揺動部材６４の上下動に伴ってネジ止め６５ａを中心に作動部材６５が揺動する。
上記作動部材６５の、ネジ止め６５ｂと反対側の端部は、平板にて左右の側壁と接続されており、後述するバランス樋４０の搬送路４１を持ち上げる際に、バランス樋４０の傾斜に一致するように、傾斜して形成すると発生音を最小限に抑えることが出来ると共に、バランス樋４０を確実かつ安定して保持でき、さらに確実に持ち上げることが出来ることとなる。
尚、図中６９は、シャッター部材６１の上下に伴って作動する透過型センサであり、シャッター部材６１の上下の停止位置センサの役割も兼ねている。
【００５２】
次に、パチンコ玉の相互に供給し合う他の玉供給装置１００の構成について説明する。ここでは、遊技島の上部間のうち前後方向に配設された遊技島について説明する。
【００５３】
図１６は、パチンコ遊技店において、通路（中通路）を挟んで前後方向に配設される遊技島（図省略）に、左右方向に配設された何れかの遊技島と相互にパチンコ玉を供給し合う場合の上部タンク２００の実施形態を示したものである。尚、後述する説明においての基本的な構成（上部タンク２０、加速手段５００、滑り台部材５１０、吐出し口５４０および駆動手段６００等からなる供給手段３００）の種々の構成については、上述した上部タンク２０の実施形態と同じ構成であるのでここでの説明は省略する。
【００５４】
上述した上部タンク２０と異なる点は、バランス樋の長さが幾分長く成る点と、隣接して配設される遊技島の対面する方向の上部タンク２００の外壁２０１に、バランス樋（図示せず）の先端を取り付ける保持部２４が取り付けられている点であり、上述した供給手段３０と同じ供給手段３００をそれぞれ対設し、この供給手段３００の駆動手段６００の揺動部材（図示せず）の前面に、加速手段５００の滑り台部材５１０を取り付けると共に、加速手段５００の下端の吐出し口５４０と、バランス樋の搬送路（何れも図示せず）の先端が、保持部２４部分にて対向するように構成されている。
つまり、上部タンク２０と上部タンク２００とは、外壁２０１に取り付ける取付け位置が９０度異なるだけである。尚、図中２５０は、対面する方向に、即ち前後方向に、隣接して配設される遊技島の各パチンコ遊技機２や各台間玉貸機２ａにパチンコ玉を供給する供給樋７の取り付け部である。
【００５５】
上記した構成（上部タンク２００の実施形態）によれば、通路（中通路）を挟んで前後方向に配設される遊技島に、左右方向に配設された何れかの遊技島と相互にパチンコ玉を供給し合う場合、通路を挟んで前後方向に、隣接して配設される遊技島同士（例えば、壁島同士の自島又は他島の端部、若しくは上部タンク同士）にて、相互にパチンコ玉を供給し合うことが出来ることから、左右方向に配設された何れかの遊技島から通路を挟んで遊技島の前後方向の何れかに配設された遊技島同士のパチンコ玉を相互に供給し合う時、架け渡したバランス樋を介して行うことが出来る。
例えば、壁島の遊技島において島内の玉貯留量が不足した場合、先ず、左右方向に配設された遊技島が供給可能であるか判断させ、仮に供給不可であれば、次いで通路を挟んで前後方向に、隣接して配設した遊技島にて供給可能であるか判断させ、供給可能であれば、通路を挟んで架け渡したバランス樋を介して供給することが出来る。
【００５６】
次に、本発明の実施形態による遊技島においては、以上のように構成されており、以下に示すように動作する。
遊技島１の島内に備えた玉揚送装置６寄りの玉貯留タンク３のパチンコ玉は、必要に応じて（上部タンク内の検出）排出され、循環リフト４にて持ち上げられ回収樋５を介して、常時運転している玉揚送装置６により磨きながら上部タンク２０へと揚送され、供給樋７から各パチンコ遊技機２や各台間玉貸機２ａに供給される。また、上部タンク２０内が満杯状態になると、溢れたパチンコ玉はオーバーフロー樋８により島内に備えた玉貯留タンク１内に再び送り込まれる。このようにして、遊技島１においてパチンコ玉が繰り返し循環還流される。
【００５７】
上記したように遊技島１においてパチンコ玉が繰り返し循環還流しているが、ある遊技島において、列設した複数の台のパチンコ遊技機２の大当たり回数が多く出ると（大当たり台が連続し、無制限の場合）、上部タンク２０内に貯留しているパチンコ玉の玉量が次第に減っていき、上部タンク２０内の下限スイッチＳｄが検出し、この検出信号に基づいて循環リフト４が作動し、玉貯留タンク３内に貯留しているパチンコ玉が排出され、循環リフト４にて持ち上げられたパチンコ玉は回収樋５を介して玉揚送装置６にて揚送し、上部タンク２０内の上限スイッチＳｔで検出するまで循環リフト４は作動し、検出した時点で作動が停止する。
玉揚送装置６にて揚送されたパチンコ玉は、上部タンク２０へとパチンコ玉が供給され、受渡し口２１から上部ガイド板２７へと送られ、上部ガイド板２７上をサブ貯留部Ｔｓに向かってパチンコ玉が転動し、このパチンコ玉の転動と共に、上部ガイド板２７の隙間２７ａからメイン貯留部Ｔｍへ落下し、貯留される。
【００５８】
また、サブ貯留部Ｔｓに送られたパチンコ玉は、このような状態では隣接するパチンコ遊技機２にパチンコ玉を供給できる状態でないことから、サブ貯留部Ｔｓの供給口２２が駆動手段６０のシャッター部材６１によって閉じられており、サブ貯留部Ｔｓ内に溢れたパチンコ玉もまた、上記上部ガイド板２７の先端位置で、サブ貯留部Ｔｓとの接続部部分に設けた隙間２７ｂからメイン貯留部Ｔｍへ落下し、貯留される。
一方、玉揚送装置６は開店時、常時運転していることから、各パチンコ遊技機２から排出されるパチンコ玉（アウト玉）は、玉貯留タンク３の両端の回収樋５にて回収され、玉揚送装置６により上部タンク２０へと磨きながら揚送され、上限スイッチＳｔ以上にパチンコ玉が貯留されると、オーバーフローパイプＯｐから下部空間部Ｔｄにパチンコ玉が送られ、オーバーフロー樋８により玉貯留タンク３へとパチンコ玉が送られ、貯留する。
【００５９】
遊技島１においてパチンコ玉を繰り返し循環還流される動作を繰り返えす際、遊技島１の玉貯留タンク３内の玉貯留量の検出は、玉貯留タンク３の玉量検出装置１０である第一の検出センサ１０ａと、第二の検出センサ１０ｂとによる、イン玉からアウト玉を減算処理して玉貯留タンク３内の玉貯留量の増減量を判断しながら行い、仮に玉貯留タンク３内の玉貯留量が不足した場合は、左右方向に隣接した供給可能な遊技島１からバランス樋４０を介して供給するように成している。
尚、遊技島１にて島端に計数機１ａが備えられている場合は、この計数機１ａに投入された懸賞玉の玉量も当然玉量検出装置１０（計数機自体からの計数値出力）に認識され、この懸賞玉の玉量をも計数されて玉貯留タンク３内にパチンコ玉が供給され、貯留される。
【００６０】
上記のように遊技島１内に備えた玉貯留タンク３内の玉貯留量が所要量に達した時点、即ち遊技島１内の玉貯留量が、所要量より多い、と検出・認識された場合に、他の遊技島１、１（不足している遊技島）へ供給可能信号が発信され、パチンコ玉の供給可能待機状態となる。
【００６１】
上記の待機状態において、隣接する他の遊技島１（不足している遊技島）からパチンコ玉の供給依頼信号を受信すると、パチンコ玉の供給依頼信号を受信した、当該パチンコ玉を供給する側の遊技島１は、供給手段３０の駆動手段６０のモータ６７が信号を受けて駆動回転し、第１のリンク部材６８及び第２のリンク部材６６を介して揺動部材６４が下方に移動し、この揺動部材６４の下方への移動に伴って、揺動部材６４と連動する作動部材６５がネジ止め６５ａを中心に揺動し（図１４（Ｂ）参照）上記バランス樋４０の搬送路４１の先端が作動部材６５により持ち上げられる。つまり、支点部材４３を中心にシーソーのように持ち上げられ、バランス樋４０の搬送路４１が傾斜姿勢に可変し、加速手段５０の滑り部材５１の下端の吐出し口５４と、バランス樋４０の搬送路４１の先端とが対向する。
【００６２】
と同時に、上記揺動部材６４の下方への移動に伴って、揺動部材６４の上部に取り付けたシャッター部材６１が、上部タンク２０即ちサブ貯留部Ｔｓの供給口２２を開き、加速手段６０の滑り台部材５１の受入口５２へとパチンコ玉が供給され、供給されたパチンコ玉は加速手段５０の受入れ口５２から滑り台部材５１の胴部５３を経て自重落下によって加速されて、湾曲した吐出し口５４の湾曲面に沿って、滑らかに、勢い良く、バランス樋４０の搬送路４１へと送り出され、傾斜姿勢したバランス樋４０の搬送路４１上を、勢いを失うことなく助勢されて転動し、バランス樋４０が架け渡された隣接する遊技島の上部タンク２０へと転動し、搬送され、パチンコ玉の供給を受ける側の遊技島へとパチンコ玉が素早く供給される。
【００６３】
この場合、パチンコ玉の供給を受ける側の遊技島側の供給手段３０では、供給手段３０のバランス樋４０の搬送路４１の先端は、上部タンク２０の供給手段３０に設けられた駆動手段６０の作動部材６５から、離れ、自由な開放状態になっており、上記バランス樋４０の搬送路４１が、支点部材４３を中心にシーソーのように揺動し、バランス樋４０の搬送路４１の先端は、パチンコ玉の供給を受ける側の遊技島の保持部２４に載置され、保持される。
【００６４】
上述したように、パチンコ玉の供給を受ける側の遊技島側の供給手段３０では、バランス樋４０の搬送路４１上を転動して来るパチンコ玉は、上部タンク２０の開口２３から、上部タンク２０へと供給され、一部は中仕切板２８の隙間２８ａから下部ガイド板２９へと送られながら、中仕切板２８の傾斜に沿って導通口２６ａを通過してメイン貯留部Ｔｍ内へと送り込まれる。
送り込まれたパチンコ玉が、メイン貯留部Ｔｍ内で下限スイッチＳｄを越えると、貯留されたパチンコ玉に遮られてそれ以上、上記導通口２６ａを通過してメイン貯留部Ｔｍ内へとパチンコ玉を供給できなくなるため、中仕切板２８上のパチンコ玉は、その隙間２８ａから下部ガイド板２９を経て、下部空間部Ｔｄへと送られ、上記オーバーフロー樋８を介して玉貯留部３へと送られ、貯留される。
【００６５】
このようにパチンコ玉の供給が継続され、玉貯留タンク３の玉量検出装置１０の第一の検出センサ１０ａと第二の検出センサ１０ｂとによる、イン玉からアウト玉を演算部にて減算処理して玉貯留タンク３の玉貯留量が所要量に達したと判断された処で、パチンコ玉を供給する側の上記駆動手段６０のモータ６７が信号を受けて駆動回転すると、上述の動作と逆に、第１のリンク部材６８および第２のリンク部材６６を介して揺動部材６４が上方に移動し、この揺動部材６４の上方への移動に伴って、揺動部材６４の上部に取り付けたシャッター部材６１が上部タンク２０の供給口２２を閉じ、加速手段５０の受入れ口５２へのパチンコ玉の供給が停止される。
【００６６】
この際、パチンコ玉を供給する側の遊技島１の上部２０の、供給手段３０では、第１のリンク部材６８及び第２のリンク部材６６を介して揺動部材６４が上方に移動し、この揺動部材６４の上方への移動に伴って、揺動部材６４と連動する作動部材６５がネジ止め６５ａを中心に揺動し（図１５（Ｂ）参照）、バランス樋４０の搬送路４１の先端が作動部材６５から離れ、自由な開放状態となり、パチンコ玉を供給する側の遊技島１の供給手段３０は待機状態となる。
この状態で、パチンコ玉を供給する側の遊技島１及び供給を受けた側の遊技島１は、それぞれの上部タンク２０、２０の供給手段３０、３０のメイン貯留部Ｔｍ、Ｔｍから供給樋７を介して各パチンコ遊技機２へパチンコ玉が不断に供給され、またそれぞれの玉揚送装置６が、開店中は常時運転されているので、隣接する左右方向の遊技島１、１の各パチンコ遊技機２での遊技者による遊技は、支障なく継続されることとなる。
【００６７】
上記した実施形態によれば、複数台列設されたパチンコ遊技機２や各台間玉貸機２ａを備えた遊技島１に有って、玉貯留タンク３からパチンコ玉を上部タンク２０に揚送し、上部タンク２０から各パチンコ遊技機２や各台間玉貸機２ａならびに玉貯留タンク３に再び供給する、循環還流するように成した遊技島１と、左右方向（通路を挟んで前後方向）に隣接して配設される遊技島１、１とを、それぞれの遊技島１、１の上部タンク２０、２０同士間に、水平な少なくとも１本のバランス樋４０、４０を架け渡してパチンコ玉を相互に供給し合い、玉貯留量を均等化するようにしたので、２本のクロスバランス方式に比べて何ら美観を損ねることはない。
【００６８】
また、遊技島１の上部間（左右方向若しくは通路を挟んで前後方向）に水平な少なくとも１本のバランス樋４０を架け渡し、上記玉揚送装置６により揚送したパチンコ玉を上部タンク２０内に貯留し、架け渡されたバランス樋４０内は供給側の必要に応じて送られるパチンコ玉は加速手段５０によって、加速がつけられ、上記バランス樋４０に送り出す構成としたことにより、加速されたパチンコ玉が勢い良く上部間に配設された隣接した遊技島１の上部タンク２０へと、素早く転動することとなる。
従って、転動しきれずにバランス樋４０に玉溜まりが生じることなく、バランス樋４０が落下する等の危険性もなくなり、その結果、落下防止対策を施す必要がなく、安価となる。
【００６９】
また、遊技島１の上部間（左右方向若しくは通路を挟んで前後方向）に水平な少なくとも１本のバランス樋４０を架け渡し、上部タンク２０内に貯留したパチンコ玉を無駆動式の加速手段５０によりパチンコ玉を加速してバランス樋４０に送り出す構成としたことにより、正・逆転の切替え駆動制御する高価な駆動モータを使用する１本正逆ベルト方式と比べ、駆動源となるモータが必要なくなることからコストダウンを図ることが出来、搬送手段の１本正逆ベルトの張り具合の調整や、ベルト切れによる交換作業等、複雑な構造上である故の諸問題を解決することが出来る。
【００７０】
また、現場において隣接する遊技島間の異なる通路幅にバランス樋４０を架け渡す場合に、バランス樋の両端または何れか一方の端部を切断する作業もなくなるため、現場での施工時間が短時間で行える。
【００７１】
また、上記加速手段５０に供給される上部タンク２０内のパチンコ玉の供給口２２を開閉するシャッター部材６１を備えたので、要求される玉貯留量に対応して必要以上のパチンコ玉を供給することなく、さらに故障など不測の場合にパチンコ玉の供給を停止できる。
【００７２】
また、上記バランス樋４０内の搬送路４１は、その中央部分を支点としてシーソーのように上下に揺動し、上記シャッター部材６１と連動して、上記搬送路４１を傾斜するように構成したので、加速手段５０によって、加速をつけたパチンコ玉が勢い良く、バランス樋４０内の搬送路４１へと送り出され、傾斜したバランス樋４０内の搬送路４１上で勢いを失うことなく、助勢されて、隣接する遊技島の上部タンク２０へと転動することとなり、隣接する遊技島の上部タンク２０へと確実に転動・搬送し、パチンコ玉を供給することが出来る。さらに、バランス樋４０内の搬送路４１とシャッター部材６１とが連動することから、部品点数を少なくできて構造的に簡略化でき、さらにコストダウンを図ることが出来る。
【００７３】
また、上記上部タンク２０に備えられた供給手段３０は、隣接する遊技島１、１間に架け渡すバランス樋４０と、バランス樋４０に加速をつけてパチンコ玉を送り出す加速手段５０と、加速手段５０に送り出す上部タンク２０の開口２２を開閉するシャッター部材６１を備えると共に上記バランス樋４０を傾斜させる駆動手段６０と、を備え、上記駆動手段６０は、上記加速手段５０を取付けると共に、揺動部材６４を揺動自在に取付け、揺動部材６４の上部に上記シャッター部材６１を備えると共に、下部には上記バランス樋４０を傾斜させる作動部材６５を備え、それぞれ連動して構成されているので、機械的に連動する構成とされ、故障することなく、部品点数を少なくできて構造的に簡略化でき、さらにコストダウンを図ることが出来る。
【００７４】
また、本発明による実施形態によれば、上記上部タンク２０の上記供給手段３０側の内部に、仕切り壁２６を設けて上部タンク２０内にメイン貯留部Ｔｍを形成し、供給手段３０の下部に位置して、隣接する遊技島間に架け渡された上記バランス樋４０の先端が対向する開口２３を設け、この開口２３の内部下方に、隙間２８ａを形成した中仕切板２８を傾斜して配置し、この中仕切板２８の先端部分で、上記仕切り壁２６との接合部分に、メイン貯留部Ｔｍに通ずる導通口２６ａを形成し、メイン貯留部Ｔｍに供給樋７の先端を取り付ける取り付け部２５が設けられているので、バランス樋４０から供給されるパチンコ玉は、中仕切板２８から導通口２６ａを通過してメイン貯留部Ｔｍに送り込まれ、供給樋７によって、各パチンコ遊技機２や各台間玉貸機２ａへと供給されるので、万が一上記遊技島１にて常時運転している玉揚送装置６が故障した場合に、緊急事態においても各パチンコ遊技機２や各台間玉貸機２ａへとパチンコ玉を供給でき、この結果、各パチンコ遊技機２での遊技者に対して支障なく継続営業することが出来る。
【００７５】
次に、第二の実施形態のバランス樋４００の構成について説明する。
ここでの第二の実施形態のバランス樋４００は、以下に説明する点で相違するが、その他の構成については上述した第一の実施形態と同様である。
図中、上記第一の実施形態と同一の部分には、同一の符号を付してその説明は省略する。
【００７６】
図１７に示すようにバランス樋４００は、遊技島１、１の上部タンク２０、２０の同士間に架け渡され、パチンコ玉が転動して搬送される搬送路４１０と、化粧ガイド樋４２０と、から構成されている。
搬送路４１０の長手方向、略中心部分を中心に供給側搬送路４１０ａと供給を受ける側の搬送路４１０ｂとに二分割（半分半分の長さ）して構成され、この搬送路４１０の長手方向、中心部分に支点部材４３０を取付け、この支点部材４３０を中心に、供給手段３０に設けた駆動手段６０の作動部材６８によりバランス樋４００の搬送路４１０の供給側搬送路４１０ａの先端が持ち上げられ、揺動し、傾斜するように構成し、上記支点部材４３０を中心に分割シーソー式に中折れするようになっており、搬送路４１０が傾斜した際に化粧ガイド樋４２０からはみ出さないように構成されている。
【００７７】
また、上記支点部材４３０を中心に、傾斜する搬送路４１０の供給側搬送路４１０ａの反対側、即ちパチンコ玉の供給を受けようとする側のバランス樋４００の供給を受ける側の搬送路４１０ｂは、揺動せず、略水平状態となっており、パチンコ玉の供給を受けようとする側の供給を受ける側の搬送路４１０ｂの後端近くに、バランス樋４００の搬送路４１０上を通過するパチンコ玉を検知する例えば反射型センサ４６０を設け、さらに反射型センサ４６０近くの供給を受ける側の搬送路４１０ｂの上方に、例えば送風機や回転ローラ等による補助加速装置４７０を設け、上記反射型センサ４６０が、バランス樋４００の搬送路４１０上を転動し、玉止まりしそうなパチンコ玉は、上記補助加速装置４７０が作動して、供給を受ける側の搬送路４１０ｂ上のパチンコ玉をさらに転送し、パチンコ玉の供給を受けようとする側の遊技島１の上部タンク２０へとパチンコ玉を素早く転送するように構成している。
【００７８】
尚、図面においては、右側が傾斜した場合を示しているが、左側が供給側、右側がパチンコ玉の供給を受ける場合には、上記説明と逆に、支点部材４３０を中心に、揺動し、傾斜するように構成される。
【００７９】
上記したバランス樋４００は、以上のように構成されており、上記第一の実施形態と同様に動作すると共に、上記第一の実施形態と同様な効果を奏する。
さらに、搬送路４１０の長手方向、中心部分を中心に供給側搬送路４１０ａと供給を受ける側の搬送路４１０ｂとに二分割して構成され、この搬送路４１０の長手方向中心部分に支点部材４３０を取付け、この支点部材４３０を中心に、供給手段３０に設けた駆動手段６０の作動部材６８によりバランス樋４００の搬送路４１０の供給側搬送路４１０ａの先端が持ち上げられ、揺動して傾斜させるので、供給手段３０に設けた駆動手段６０の前面に取り付けた加速手段５０によって加速をつけられて送られるパチンコ玉は、搬送路４１０の供給側搬送路４１０ａの傾斜によって、その勢いが一層増幅され、搬送路４１０の供給側搬送路４１０ａ上をパチンコ玉が転動し、その勢いを引き継ぎ、供給を受ける側の搬送路４１０ｂは、揺動せず、略水平状態となっているものの、パチンコ玉の供給を受けようとする側の遊技島１の上部タンク２０へとパチンコ球を確実に転送することが出来る。
【００８０】
また、仮に搬送路４１０の供給を受ける側の搬送路４１０ｂ上を転動し、玉止まりしそうなパチンコ玉があったとしても、供給を受ける側の搬送路４１０ｂの後端近くに、供給を受ける側の搬送路４１０ｂ上を通過するパチンコ玉を検知する反射型センサ４６０を設け、さらに反射型センサ４６０近くの供給を受ける側の搬送路４１０ｂの上方に、例えば送風機や回転ローラ等の補助加速装置４７０を設けているので、上記反射型センサ４６０が供給を受ける側の搬送路４１０ｂ上を転動し、玉止まりしそうなパチンコ玉は、上記補助加速装置４７０が作動して、供給を受ける側の搬送路４１０ｂ上のパチンコ玉をさらに転送し、パチンコ玉の供給を受けようとする側の遊技島１の上部タンク２０へとパチンコ玉を確実に転送することが出来る。
【００８１】
さらに、上記バランス樋４００の搬送路４１０の長手方向中心部分に支点部材４３０を取付け、この支点部材４３０を中心に、搬送路４１０の供給側搬送路４１０ａの先端が持ち上げられ、揺動して傾斜するようになっているので、パチンコ玉の供給を受けようとする側のバランス樋４００の搬送路４１０の後端を基準として揺動し、傾斜する場合と比較して、傾斜角度を大きくできるばかりか、バランス樋４００の幅（背丈）を小さくでき、さらに一層美観を損なうことがない。
【００８２】
次に、第三の実施形態のバランス樋４０１の構成について説明する。
ここでの第三の実施形態のバランス樋４０１は、以下に説明する点で相違するが、その他の構成については上述した第一及び第二の実施形態と同様である。
図中、上記第一及び第二の実施形態と同一の部分には、同一の符号を付してその説明は省略する。
【００８３】
図１８に示すようにバランス樋４０１は、遊技島１、１の上部タンク２０、２０の同士間に架け渡され、パチンコ玉が転動して搬送される搬送路４１１と、化粧ガイド樋４２１と、から構成されている。
搬送路４１１の長手方向中心部分を中心に供給側搬送路４１１ａと供給を受ける側の搬送路４１１ｂとに二分割（半分半分の長さ）して構成され、この搬送路４１１の長手方向中心部分に支点部材４３１を取付け、この支点部材４３１を中心に、供給側搬送路４１１ａと供給を受ける側の搬送路４１１ｂとが八の字状にそれぞれ互い違いに傾斜されており、供給手段３０に設けた駆動手段６０の作動部材６８により搬送路４１１の供給側搬送路４１１ａの先端が持ち上げられ、支点部材４３１を中心に揺動して略水平状態に持ち上げられ、供給側搬送路４１１ａの反対側の供給を受ける側の搬送路４１１ｂは、後端に向かって低くなるように傾斜しており、上記支点部材４３１を中心にした分割シーソー式に中折れするようになっていると共に、化粧ガイド樋４２１からはみ出さないように構成されている。
【００８４】
尚、図面においては、右側が揺動して略水平状態に持ち上げられた場合を示しているが、左側が供給側，右側がパチンコ玉の供給を受ける場合には、上記説明と逆に、支点部材４３１を中心に、左側が、揺動して略水平状態に持ち上げられるように構成される。
【００８５】
上記したバランス樋４０１は、以上のように構成されており、上記第一及び第二の実施形態と同様に動作すると共に、上記第一及び第二の実施形態と同様の効果を奏する。
さらに、搬送路４１１の長手方向中心部分を中心に供給側搬送路４１１ａと供給を受ける側の搬送路４１１ｂとに二分割して構成され、この搬送路４１１の長手方向中心部分に支点部材４３１を取付け、この支点部材４３１を中心に、供給側搬送路４１１ａと供給を受ける側の搬送路４１１ｂとが八の字状にそれぞれ互い違いに傾斜されており、上記支点部材４３１を中心に、供給手段３０に設けた駆動手段６０の作動部材６８によりバランス樋４０１の搬送路４１１の供給側搬送路４１０ａの先端が持ち上げられ、支点部材４３１を中心に揺動して略水平状態に持ち上げられ、供給側搬送路４１１ａの反対側の供給を受ける側の搬送路４１１ｂは、後端に向かって低くなるように傾斜しているので、供給手段３０に設けた駆動手段６０の前面に取り付けた加速手段５０によって加速をつけられて送られるパチンコ玉は、搬送路４１１の略水平状態な供給側搬送路４１１ａ上をパチンコ玉が転動し、搬送路４１１の長手方向中心部分を越えた所で、後端に向かって低くなるように傾斜した供給を受ける側の搬送路４１１ｂの傾斜面をパチンコ玉が転動することとなり、遊技島１と隣接する遊技島１との幅が比較的広い間隔の場合に適して、パチンコ玉の供給を受けようとする側の遊技島１の上部タンク２０へとパチンコ球を確実に転送することが出来る。
【００８６】
また、上記バランス樋４０１の搬送路４１１の長手方向中心部分に支点部材４３１を取付け、この支点部材４３１を中心に、供給側搬送路４１１ａと供給を受ける側の搬送路４１１ｂとが八の字状にそれぞれ互い違いに傾斜しているので、パチンコ玉の供給を受けようとする側のバランス樋４０１の搬送路４１１の後端を基準として揺動し、傾斜する場合と比較して、傾斜角度を大きくできるばかりか、バランス樋４０１の幅（背丈）を小さくでき、さらに一層美観を損なうことがない。
【００８７】
【発明の効果】
以上の説明で明らかなように本発明の構成によれば、左右方向に配設した遊技島の上部タンクに、水平な少なくとも１本のバランス樋を架け渡してパチンコ玉を相互に供給し合い、玉貯留量を均等化するようにしたことにより、２本のクロスバランス方式に比べ何ら美観を損ねることはない。
また、通路（中通路）を挟んで前後方向に配設した遊技島の端部若しくは上部タンクに水平な少なくとも１本のバランス樋を架け渡してパチンコ玉を相互に供給し合い、玉貯留量を均等化するようにしたことにより、通路（中通路）を挟んで前後方向に配設した遊技島であっても何ら美観を損ねることはない。
【００８８】
また、遊技島の上部間（左右方向若しくは通路を挟んで前後方向）にバランス樋を架け渡し、上記玉揚送装置により揚送したパチンコ玉を上部タンク内に貯留し、水平に架け渡されたバランス樋内は供給側の必要に応じて送られるパチンコ玉は加速手段によって、加速がつけられ、上記バランス樋に送り出す構成としたことにより、加速されたパチンコ玉が勢い良く上部間（左右方向若しくは通路を挟んで前後方向）配設された遊技島の上部タンクへと、素早く転動することとなる。
従って、転動しきれずにバランス樋に玉溜まりが生じることなく、バランス樋が落下する等の危険性もなくなり、その結果、落下防止対策を施す必要がなく、安価となる。
【００８９】
また、遊技島の上部間（左右方向若しくは通路を挟んで前後方向）に１本のバランス樋を架け渡し、上部タンク内に貯留したパチンコ玉を無駆動式の加速手段によりパチンコ玉を加速してバランス樋に送り出す構成としたので、正・逆転の切替え駆動制御する高価な駆動モータを使用する１本正逆ベルト方式と比べ、駆動源となるモータが必要なくなることからコストダウンを図ることが出来、搬送手段の１本正逆ベルトの張り具合の調整や、ベルト切れによる交換作業等、複雑な構造上である故の諸問題を解決することが出来る。
【００９０】
さらに、現場において隣接する遊技島間の異なる通路幅にバランス樋を架け渡す場合に、バランス樋の両端または何れか一方の端部を切断する作業もなくなるため、現場での施工時間が短時間で行える。
【００９１】
かくして、本発明によれば、複数列配列された各遊技島における玉貯留量を相互に供給し合いことで、各遊技島内の玉貯留量を均等化に維持することが出来るため、パチンコ遊技店の営業に何ら支障をきたすことない。
【図面の簡単な説明】
【図１】本発明の遊技島相互における玉供給装置の一実施形態の構成を示す概略側面図である。
【図２】図１の本発明による遊技島の島間の上部タンク間の接続状態を示す斜視図である。
【図３】図２の一方の上部タンクとバランス樋との関係を示す概略斜視図である。
【図４】図２の上部タンクを示す概略斜視図である。
【図５】図４の上部タンクの背面側内側を示す概略斜視図である。
【図６】図２の概略正面図で、一方の上部タンクは破断して示している。
【図７】図２のバランス樋の概略拡大斜視図である。
【図８】図７のバランス樋の概略拡大横断面図である。
【図９】図７のバランス樋の概略拡大縦断面図である。
【図１０】図２の上部タンクの概略拡大縦断面図である。
【図１１】図１０をさらに拡大した概略拡大縦断面図である。
【図１２】図１０の供給手段の斜視図である。
【図１３】図１３の加速手段の斜視図である。
【図１４】図１２の駆動手段を示し、（Ａ）は正面図、（Ｂ）は（Ａ）のＸ−Ｘ線断面図である。
【図１５】図１２の駆動手段の動作状態を示し、（Ａ）は正面図、（Ｂ）は（Ａ）のＹ−Ｙ線断面図である。
【図１６】図２の上部タンクの第二の実施形態を示す概略斜視図である。
【図１７】図８のバランス樋の第二の実施形態を示し、（Ａ）は概略断面図、（Ｂ）は（Ａ）の動作状態を示概略断面図である。
【図１８】図８のバランス樋の第三の実施形態を示し、（Ａ）は概略断面図、（Ｂ）は（Ａ）の動作状態を示概略断面図である。
【符号の説明】
３      玉貯留タンク
６      玉揚送装置
９      循環還流（システム）
１０      玉量検出装置
２０      上部タンク
２００    上部タンク
３０      供給手段
４０      バランス樋（第一の実施形態）
４００    バランス樋（第二の実施形態）
４０１    バランス樋（第三の実施形態）
４３      支点部材
５０      加速手段
５１      滑り台部材
６０      駆動手段
６１      シャッター部材
６４      揺動部材
６５      作動部材
【図１】
0004220710.tif 000002
【図２】
0004220710.tif 000003
【図３】
0004220710.tif 000004
【図４】
0004220710.tif 000005
【図５】
0004220710.tif 000006
【図６】
0004220710.tif 000007
【図７】
0004220710.tif 000008
【図８】
0004220710.tif 000009
【図９】
0004220710.tif 000010
【図１０】
0004220710.tif 000011
【図１１】
0004220710.tif 000012
【図１２】
0004220710.tif 000013
【図１３】
0004220710.tif 000014
【図１４】
0004220710.tif 000015
【図１５】
0004220710.tif 000016
【図１６】
0004220710.tif 000017
【図１７】
0004220710.tif 000018
【図１８】
0004220710.tif 000019